(57)【要約】  一実施形態において、機器に関連する少なくとも１つの流体循環システムと、少なくとも２個の交換可能な流体容器との間の流体分配を制御するように構成された装置が提供され、この装置は、  流路であり、流体循環システムの少なくとも１つの流体ポートと、交換可能な流体容器それぞれの少なくとも１つの流体ポートとに連結されるように構成され、    流体循環システムと少なくとも１個の交換可能な流体容器との間に、少なくとも１つの弁を有した流路と、  制御装置であり、少なくとも１つの弁を制御して流体循環システムと少なくとも２個の交換可能な流体容器との間の流体の流れを制御するように構成された制御装置と、  を有する。
2019519709.tif 000002
【特許請求の範囲】
【請求項１】
機器に関連する少なくとも１つの流体循環システムと、少なくとも２個の独立して交換可能な流体容器との間の流体分配を制御するように構成された制御装置にであって、
前記流体循環システムの少なくとも１つの流体ポートを、前記交換可能な流体容器それぞれの少なくとも１つの流体ポートに連結するように構成された流路であり、
該流路は、前記流体循環システムと少なくとも１個の交換可能な流体容器との間に、少なくとも１つの弁を備えた流路と、
前記少なくとも１つの弁を制御して前記流体循環システムと少なくとも２個の交換可能な流体容器との間の流体の流れを制御するように構成された制御装置と、
を備える、流体分配を制御するように構成された制御装置。
【請求項２】
前記流路が、
前記流体循環システムの流体排出ポートへの、少なくとも１個の交換可能な流体容器の流体入口ポート、
前記流体循環システムの流体供給ポートへの、少なくとも１個の交換可能な流体容器の流体出口ポート、又は
前記流体循環システムのベントポートへの、少なくとも１個の交換可能な流体容器の少なくとも１つのベントポート
のうちの少なくとも１つに連結するように構成される、請求項１に記載の装置。
【請求項３】
前記流路が、
前記少なくとも１個の交換可能な流体容器の前記流体出口ポートと、前記流体循環システムの前記流体供給ポートとの間の弁、
前記少なくとも１個の交換可能な流体容器の前記ベントポートと、前記流体循環システムの前記ベントポートとの間の弁、又は
前記流路内に流体を流すように構成された、少なくとも１つのポンプ
のうちの少なくとも１つを備える、請求項１又は２に記載の装置。
【請求項４】
少なくとも２個の独立して交換可能な流体容器と、
流体循環システムと、
前記流体循環システムと前記少なくとも２個の独立して交換可能な流体容器との間の流体分配を制御するように構成された制御装置と、
を備え、
前記流体分配が、前記少なくとも２個の独立して交換可能な流体容器のうちの１個が存在しない状態においては、中断されない流体交換システム。
【請求項５】
流体が潤滑油である、請求項４に記載の流体交換システム。
【請求項６】
請求項１から３に記載の制御装置を備える、請求項４又は５に記載の流体交換システム。
【請求項７】
機器の動作を維持する方法であって、装置が、これに関連する流体循環システムを有し、該流体循環システム内に流体を循環させて作用させる必要があり、前記方法が、
少なくとも２個の独立して交換可能な流体容器から、第１の独立して交換可能な流体容器を選択することと、
前記第１の独立して交換可能な流体容器と前記流体循環システムとの間の流路を開くことと、
少なくとも２個の独立して交換可能な流体容器から、第２の独立して交換可能な流体容器を選択することと、
前記第２の独立して交換可能な流体容器と前記流体循環システムとの間の流路を開くことと、
前記装置から第１の交換可能な流体容器を取り外すことができると判断することと、
前記第２の独立して交換可能な流体容器を用いて、前記第１の独立して交換可能な流体容器の取り外し時に、機器の動作を維持することと、
を含む方法。
【請求項８】
前記少なくとも２個の独立して交換可能な流体容器から、前記第１の独立して交換可能な流体容器を選択することが、
前記装置の流体循環システム内に存在する流体の状態を分析するステップと、
前記状態を用いて、前記機器を継続的に作動させることが可能な流体属性要件を決定するステップと、
前記第１の交換可能な流体容器内に収容された第１の流体が、前記流体属性要件を満たすか否かを判断するステップと、
第２の交換可能な流体容器内に収容された第２の流体が、前記流体属性要件を満たすか否かを判断するステップと、
前記判断に基づいて、前記第１の流体又は前記第２の流体のいずれかを選択して、前記循環システム内に存在する流体を補充するステップと、
を含む、請求項７に記載の方法。
【請求項９】
少なくとも１つの弁を制御して、少なくとも１個の独立して交換可能な流体容器と前記流体循環システムとの間を流体が循環できるようにすることを更に含む、請求項７又は８に記載の方法。
【請求項１０】
前記流体循環システムから、独立して交換可能な流体容器のうちの少なくとも１個への流体の返送を制御することと、
前記少なくとも１つの弁を制御して、前記流体循環システムと１個以上の独立して交換可能な流体容器との間に流体が流れるのを選択的に抑制することと、
を更に含む、請求項９に記載の方法。
【請求項１１】
前記装置から前記第１の交換可能な流体容器を取り外すことができると判断するステップは、
独立して交換可能な流体容器の性能に基づいて、１個以上の独立して交換可能な流体容器の予想使用期間を算出すること、又は
前記機器の性能に基づいて、前記１個以上の独立して交換可能な流体容器の予想使用期間を算出すること
を更に含む、請求項７に記載の方法。
【請求項１２】
プロセッサ上で実行されるときに、該プロセッサに請求項７から１１の何れか一項に記載のステップを実行させる、非一時的媒体に記憶されたコンピュータプログラム。
【請求項１３】
乗り物、オートバイ、乗用車、バン、トラック、客車、重量車、土工車、採掘車、オフハイウェイ車、ヨット、モーターボート、プレジャーボート、ジェットスキー、漁船、空中船、
産業機械、
モータ、エンジン、ドライブトレーン、ギアボックス、又は、
リバースエンジン、発電機若しくは風力タービン
における、請求項１から３の何れか一項に記載の装置の使用。
【請求項１４】
乗り物、オートバイ、乗用車、バン、トラック、客車、重量車、土工車、採掘車、オフハイウェイ車、ヨット、モーターボート、プレジャーボート、ジェットスキー、漁船、空中船、
産業機械、
モータ、エンジン、ドライブトレーン、ギアボックス、又は、
リバースエンジン、発電機若しくは風力タービン
における、請求項４から６の何れか一項に記載のシステムの使用。
【請求項１５】
乗り物、オートバイ、乗用車、バン、トラック、客車、重量車、土工車、採掘車、オフハイウェイ車、ヨット、モーターボート、プレジャーボート、ジェットスキー、漁船、空中船、
産業機械、
モータ、エンジン、ドライブトレーン、ギアボックス、又は、
リバースエンジン、発電機若しくは風力タービン
における、請求項７から１１の何れか一項に記載の方法の使用。
【発明の詳細な説明】
【技術分野】
【０００１】
発明の分野
本発明は、装置（apparatus）であって、機器（equipment）に関連する少なくとも１つの流体循環システムと、少なくとも２個の交換可能な流体容器との間の流体分配を制御するように構成された装置に関する。また、本発明は、このような装置を備えた関連システムにも関する。さらに、本発明は、機器に関連する少なくとも１つの流体循環システムと、少なくとも２個の交換可能な流体容器との間の流体分配を制御する方法にも関する。
【背景技術】
【０００２】
発明の背景
多くの乗り物エンジンは、その作動に１種以上の流体を利用する。このような流体は、液体であることが多い。例えば、内燃機関は、液体潤滑油を利用する。また、電動エンジンも、例えば、エンジンを冷却するように、及び／又はエンジンを加熱するように、及び／又は種々の動作条件時にエンジンを冷却し加熱するように、熱交換機能を発揮し得る流体を利用する。流体の熱交換機能は、例えば電荷伝導及び／又は電気接続を含んでいてもよい他の機能（第１の機能など）に加えて、発揮され得る。このような流体は、通常、エンジンに関連する貯留槽内に収容され、定期的な交換が必要であり得る。
【０００３】
このような流体は、エンジンの作動時に消費されることが多い。また、このような流体の特性は、経時的に劣化することもあり、これによって流体の性能が低下し、その結果、新しい流体と交換する必要が生じる。このような交換は、手順が複雑で、時間がかかる場合がある。例えば、乗り物エンジンにおけるエンジン潤滑油の交換には、通常、エンジンサンプから潤滑油を排出させることを必要とする。また、この手順には、エンジンオイルフィルタの取り外しと交換も必要とする。このような手順は、通常、エンジンの下側から、エンジンサンプドレーンプラグ及びオイルフィルタへ入る必要があり、手動工具の使用が必要な場合があり、また、通常、排出させた潤滑油の適切な回収法が必要である。
【発明の概要】
【０００４】
発明の概要
本開示の態様及び例は、制御装置であって、機器に関連する少なくとも１つの流体循環システムと、少なくとも２個の独立して交換可能な流体容器との間の流体分配を制御するように構成された制御装置を対象とする。この装置は、流路であって、流体循環システムの少なくとも１つの流体ポートを、交換可能な流体容器それぞれの少なくとも１つの流体ポートに連結するように構成された流路を備え、流路が、流体循環システムと少なくとも１個の交換可能な流体容器との間に、少なくとも１つの弁を備える。また、本装置は、制御装置であって、少なくとも１つの弁を制御して流体循環システムと少なくとも２個の交換可能な流体容器との間の流体の流れを制御するように構成された制御装置も備える。
【０００５】
本開示の他の態様及び例は、流体交換システムを対象とする。本開示の他の態様及び例は、機器の動作を維持する方法を対象とする。本開示の他の態様及び例は、本開示のあらゆる態様の装置、システム及び方法の使用を対象とする。
【０００６】
ここで、添付図面を参照し、実施形態を単に例のみとして説明する。
【図面の簡単な説明】
【０００７】
【図１】２個の交換可能な流体容器に連結された、機器の第１の例示的な装置の概略図を示す。
【図２】２個の交換可能な流体容器に連結された、機器の第２の例示的な装置の概略図を示す。
【図３】３個の交換可能な流体容器に連結された、機器の第３の例示的な装置の概略図を示す。
【図４】３個の交換可能な流体容器に連結された、機器の第４の例示的な装置の概略図を示す。
【図５】ｎ個の交換可能な流体容器に連結された、機器の第５の例示的な装置の概略図を示す。
【図６】図５による例示的な装置の２個の交換可能な流体容器の弁の状態の詳細についての概略図を示す。
【図７】機器に関連する少なくとも１つの流体循環システムと、少なくとも２つの交換可能な流体システムとの間の流体分配を制御する方法に必要な手順の例を示したフローチャートを示す。
【図８】機器の動作を維持する方法に必要な手順の例を示したフローチャートを示す。
【図９】流体分配を制御する方法に必要な手順の例を示したフローチャートを示し、この方法は、複数の容器の中から選択することを含む。
【発明を実施するための形態】
【０００８】
詳細な説明
本開示の実施形態は、例えば図１〜６に示されているように、機器３に関連する少なくとも１つの流体循環システム２と、少なくとも２個の交換可能な流体容器４との間の流体分配を制御するように構成された装置１を提供する。
【０００９】
以下に更に詳細に説明するように、機器３は、乗り物、オートバイ、乗用車、バン、トラック、客車、重量車、土工車、採掘車（mining vehicle）、オフハイウェイ車（off-highway vehicle）、ヨット、モーターボート、プレジャーボート（pleasure craft）、ジェットスキー、漁船及び空中船（airborne vessel）のうちの１種以上の少なくとも一部を構成し得る。代わりに又は加えて、一部の例では、機器３は、産業機械の少なくとも一部を構成していてもよい。代わりに又は加えて、一部の例では、機器３は、モータ、エンジン、ドライブトレーン、及びギアボックスのうちの１種以上の少なくとも一部を構成していてもよい。代わりに又は加えて、一部の例では、機器３は、リバースエンジン（reverse engine）、発電機又は風力タービンのうちの１種以上の少なくとも一部を構成していてもよい。空中船の限定的ではない例としては、飛行船又は有翼航空機が挙げられる。一部の例では、流体循環システム２は、例えばサンプ２３（例えば、図５及び６に示されているもの）を備えたエンジンを備えていてもよい。以下に更に詳細に説明するように、一部の例では、流体循環システム２は、流体循環システム２内に流体を循環させるように、流体圧送機能（fluid pumping function）を備えていてもよい。流体圧送機能は、機械的又は電気的であり得るポンプを含み得る。
【００１０】
装置１は、流体循環システム２の少なくとも１つの流体ポート６と、交換可能な流体容器４それぞれの少なくとも１つの流体ポート７とに連結されるように構成された流路５（例えば、マニホールドユニットを含む。）を備えている。
【００１１】
一部の例では、以下に更に詳細に説明するように、流路５は、流体循環システム２の少なくとも１つの流体ポート６を、交換可能な流体容器４それぞれの少なくとも１つの流体ポート７に連結するように構成されていてもよい。
【００１２】
図１及び２の例では、流路５は、２個の交換可能な流体容器４の流体ポート７に連結されている。図３及び４の例では、流路５は、例えば３個の交換可能な流体容器４の流体ポート７に連結され、また、図５の例では、流路５は、ｎ個の交換可能な流体容器４の流体ポート７に連結され、ｎは２以上の整数である。例えば、流路５は、限定的ではない例として、４個、５個又はそれ以上の交換可能な流体容器に連結されていてもよい。交換可能な流体容器の数は、例えば、機器充填容積、点検プロトコル（service protocol）、及び機器内のパッケージングによって異なり得る。
【００１３】
流路５は、流体循環システム２と少なくとも１個の交換可能な流体容器４との間に、少なくとも１つの弁８を備えている。弁８は図５に概略的にのみ示されており、そして、図６に更に詳細に示されている。
【００１４】
本開示において、「弁（valve）」とは、流路５中における流体の通過を制御するのに適した器具（device）を意味する。弁の限定的ではない例としては、逆止弁、ボール弁、バタフライ弁、クラッパー弁、チョーク弁、ダイアフラム弁、電磁弁、弁シーケンサ（valve sequencers）、多方弁（multiway valves）、並びに他の適切な弁及び同様の器具が挙げられる。
【００１５】
図１〜６の例では、弁８は、少なくとも２つの状態の間において作動するように構成され、また、開状態において流路５内でポート６とポート７との間を流体が循環できるように、そして、閉状態では流路５を遮断するように構成されている。代わりに又は加えて、一部の例では、弁８は、流量制限器及び／又は絞り弁として機能してもよい。このような例では、弁は、閉状態又は開状態の間に、複数の中間状態を有していてもよい。弁８が流量制限器及び／又は絞り弁として機能可能な場合、弁は、流路５の流体流れを制御することが可能である。以下に更に詳細に説明するように、一部の例では、装置１は、流路５内に配置され得る、複数の弁８を備えていてもよい。
【００１６】
図１〜６に示されている例では、装置１は、少なくとも１つの弁８を制御して、流体循環システム２と少なくとも２個の交換可能な流体容器４との間の流体の流れを制御するように構成された制御装置９も備えている。一部の例では、弁８は、制御装置９によって直接、制御装置９により制御されるアクチュエータによって双方を組み合わせることで、開状態から閉状態へ（又はその逆に）作動してもよい。例えば、制御装置９は、アクチュエータを機械的及び／又は電気的に制御してもよい。
【００１７】
制御装置９の更なる詳細については、本開示の終了付近において論じる。
【００１８】
以下に更に詳細に説明するように、制御装置９は、流体循環システム２と、少なくとも２個の交換可能な流体容器４との間の流体の流れを制御するように構成することができる。これによって、利用者は流体の交換を計画し、機器の望ましくない停止を回避することができる。流体交換は、能動的予測（active prognostic）、診断又は先行的点検（pre-emptive servicing）に基づき得る。一部の例では、制御装置９は、流体の流れ及び流体の分配を制御して、機器の流体要件によってのみ決定されるメンテナンス又はメンテナンス間隔の必要性をなくすように構成されていてもよい。本開示に関連して、通常動作では、必要に応じてオンとオフとの切り替えを含めて、機器は正常に稼動し、メンテナンスのための過度の中断時間は回避される。加えて、交換可能な流体容器を交換するのにかかる時間は、流体の完全な排出と交換に関連する時間よりもはるかに短い。単一容器内の大量の流体を排出するか又は交換するのではなく、全流体要件の一部を付与する小型の容器が交換され用いられる。機器メンテナンスのための作業場ベースの点検の頻度及び／又は依存が減るか、又は場合によってはなくなり、機器の作動時間が長くなる可能性がある。これは、例えば、大型の機器にとって、そして、定期点検の利用が困難であり及び／又は危険な場合に、好適である。また、他の非流体機器パラメータのメンテナンスも最適化され、機器の全体的な運転費用と中断時間が削減され得る。流体容器とその流体を再利用するのに適切な準備をして、環境上安全な点検を計画することができる。一部の例では、制御装置９は、流体の流れ及び流体の分配を制御するように構成されていてもよく、その結果、機器は、そのメンテナンス時に、変わらず能動的に作動する。例えば、本開示に関連して、能動的動作は、機器の継続的動作、すなわち、機器がオンとオフとに切り替えられることなく稼動していることを包含する。一部の例では、制御装置９は、流体循環システム２と少なくとも２個の交換可能な流体容器４との間の流体の流れを制御するように構成されていてもよく、これによって、１個以上の流体容器４を交換することができ、一方、１個以上の他の交換可能な流体容器４は、機器を能動的に作動させることができる。
【００１９】
本開示では、以下に更に詳細に説明するように、「交換可能な（replaceable）」とは、容器を装置又は機器から非破壊的に取り外せることを意味する。容器は、装置又は機器に非破壊的に再び連結され、例えば、装置若しくは機器に非破壊的に再び嵌め込まれ及び／又は再び取り付けられ及び／又は再びつなげられてもよい。また、交換可能な容器は詰め替え可能であり、容器には、新しく未使用の流体を供給するか、新しい（未使用の）流体を満たすことができ、又は容器は空とすることができ、装置若しくは機器に再び連結されてもよい。
【００２０】
本開示では、それぞれの交換可能な流体容器は、他の交換可能な流体容器から独立して交換可能であるように構成されていることが理解される。それぞれの流体容器は、他の交換可能な流体容器が交換されている（又は交換されていない）か否かにかかわらず、それぞれ独立して交換可能な流体容器を交換できる（又は交換できない）ように、互いに分離している。
【００２１】
本開示では、「非破壊的に（in a non-destructive manner）」とは、場合によっては、シール（流体ポート上のシールなど）、又は容器の他の使い捨て要素の破損及び／又は破壊を除いて、容器の完全性が変更されないことを意味する。
【００２２】
図４、５及び６に示されているように、一部の例では、装置１は、流路５内に流体を流すように構成された、少なくとも１つのポンプ１１を備えていてもよい。一部の例では、ポンプ１１は、制御装置９によって制御されるように構成されている。一部の例では、以下に説明するように、制御装置９は、機器に関連する情報、及び／又は交換可能な流体容器のうちの少なくとも１個に関連する情報に基づいて、少なくとも１つの弁８及び／又はポンプ１１を制御するように構成されていてもよい。
【００２３】
ここで、図１に示されている例を更に詳細に説明する。
【００２４】
図１の例では、流路５は、流体循環システム２と第１の交換可能な流体容器４（図１の左側の容器４１）との間に、単一の弁８を備えている。流体循環システム２と第２の交換可能な流体容器４（図１の右側の容器４２）との間には、弁は設けられていない。流体循環システム２と第１の交換可能な流体容器４１との間の流路５中における流体の通過は、弁８によって制御することができる。流体循環システム２と第２の交換可能な流体容器４２との間の流路５中における流体の通過は、流路５内に配置された、いかなる弁によっても制御されない。容器４から流体循環システム２への流体供給は、例えば重力によって行われてもよい。
【００２５】
作動時に、第２の交換可能な流体容器４２から流路５を介して流体循環システム２へ流体を供給することができる。制御装置９は、弁８を制御して、第１の交換可能な流体容器４１から流路５を介して流体循環システム２への流体の流れを制御することができる。
【００２６】
制御装置９は、必要に応じて、弁８を最初に閉状態にした後、開状態にして、流路５を介して流体循環システム２内に第２の種類の流体を流すことができる。これは、例えば、所定時間が経過した後、又は、別の所定の条件若しくは例えば制御装置９によって決定された条件が満たされた後であってもよい。
【００２７】
弁８は、必要に応じて、閉状態に再び制御されてもよいことが理解される。
【００２８】
図２に示されている例は、図１に示されている例の要素を含み、共通する要素は、簡潔に、また、明瞭にするために、本明細書では説明しない。
【００２９】
図２の例では、流路５は、流体循環システム２と交換可能な流体容器４との間に、単一の弁８を備えている。図２の例では、弁８は三方弁であり、すなわち、流体循環システム２に対して一方向であり、２個の交換可能な流体容器４それぞれに対して一方向である。流体循環システム２と交換可能な流体容器４それぞれとの間の流路５中における流体の通過は、弁８によって制御することができる。容器４から流体循環システム２への流体供給は、例えば重力によって行われてもよい。
【００３０】
作動時に、制御装置９は、弁８を制御して、第１の交換可能な流体容器４（図２の左側の容器４１）から流路５を介して流体循環システム２への流体の流れを制御することができる。制御装置９は、弁８を最初に第１の交換可能な流体容器４１に対して開状態にすることができる。第１の交換可能な流体容器４１から流路５を介して流体循環システム２へ流体を供給することができる。制御装置９は、弁８を制御して、第２の交換可能な流体容器４（図２の右側の容器４２）から流路５を介して流体循環システム２への流体の流れを制御することができる。制御装置９は、弁８を最初に、例えば第２の交換可能な流体容器４２に対して閉状態にしてもよい。
【００３１】
そして、制御装置９は、弁８を、第１の交換可能な流体容器４１に対して閉状態にし、また、第２の交換可能な流体容器４２に対して開状態にすることができる。これは、例えば、所定時間が経過した後、又は、別の所定の条件若しくは例えば制御装置９によって決定された条件が満たされた後であってもよい。第２の交換可能な流体容器４２から流路５を介して流体循環システム２へ流体を供給することができる。
【００３２】
図１及び２に示されている装置は、機器３の少なくとも一部を構成し、すなわち、機器３は、図１及び２に示されている装置を備えることが理解される。
【００３３】
図３及び４に示されている例は、図１に示されている例の要素を含み、共通する要素は、簡潔に、また、明瞭にするために、本明細書では説明しない。
【００３４】
図３及び４の例では、流路５は、流体循環システム２と交換可能な流体容器４それぞれとの間に、弁８を備えている（流路５は３つの弁８を備えている。）。図３及び４の例では、弁８はそれぞれ二方弁であり、すなわち、流体循環システム２に対して一方向であり、対応する流体容器４に対して一方向である。容器４から流体循環システム２への流体供給は、重力、圧力勾配によって行われるか、又はポンプにより行われ得る。図３及び４の例では、流体循環システム２と交換可能な流体容器４それぞれとの間の流路５中における流体の通過は、弁８によって制御されてもよい。
【００３５】
図４の例では、第１の交換可能な流体容器４１から流体循環システム２への流体供給、及び／又は流体循環システム２から第１の（左側の）容器４１への流体返送は、ポンプ１１によって行われてもよい。図４の例では、少なくとも１つのポンプ１１は、可逆回転形ポンプ１１であって、流体を、流体循環システム２から第１の（左側の）交換可能な流体容器４１へ、及び／又は第１の交換可能な流体容器から流体循環システムへ流すように構成された可逆回転形ポンプを含んでいる。図４の例では、他の容器４２、４３から流体循環システム２への流体供給は、重力又は圧力勾配によって行われてもよい。
【００３６】
以下に更に詳細に説明する一部の例では、制御装置９は、少なくとも１つの弁８を制御して、流体循環システム２と、１個以上の第１の交換可能な流体容器４との間に流体が流れるのを選択的に抑制するように構成されていてもよい。流体は、流体循環システム２と、１個以上の第２の交換可能な流体容器４との間を選択的に流れるようにすることができる。
【００３７】
作動時に、図３及び４の例では、制御装置９は、弁８のうちの少なくとも１つを制御して、第１の交換可能な流体容器４１から流路５を介して流体循環システム２への流体の流れを制御してもよい。制御装置９は、第１の弁８ａを最初に第１の交換可能な流体容器４１に対して開状態にすることができる。第１の交換可能な流体容器４１から流路５を介して流体循環システム２へ流体を供給することができる。制御装置９は、他の弁８ｂ及び８ｃを制御して、第２の交換可能な流体容器４２及び／又は第３の交換可能な流体容器４３から流路５を介して流体循環システム２への流体の流れを制御することができる。第１の交換可能な流体容器４１から流体を流すように、制御装置９は、第２の交換可能な流体容器４２及び第３の交換可能な流体容器４３に対して、弁８ｂ及び８ｃを閉状態にすることができる。第２の交換可能な流体容器４２及び／又は第３の交換可能な流体容器４３から流体を流すように、制御装置９は、弁８ｂ及び８ｃを開位置にすることができる。第１の交換可能な流体容器４１からの流体に対する弁８ａは、必要に応じて開閉されてもよい。
【００３８】
また、流体循環システムに流体を供給する交換可能な流体容器の選択は、以下に説明するように、必要であれば、制御装置９によって経時的に変更されてもよいことも理解される。
【００３９】
そして、制御装置９は、弁８ａ及び８ｃを、第１の交換可能な流体容器４１及び第３の交換可能な流体容器４３に対して閉状態にし、また、弁８ｂを第２の交換可能な流体容器４２に対して開状態にすることができる。第２の交換可能な流体容器４２から流路５を介して流体循環システム２へ流体を供給することができる。これによって、流体循環システム２内に流体を連続的に流すことができる。
【００４０】
上述の動作例では、一度に１個の交換可能な流体容器（例えば、交換可能な流体容器４１、又は交換可能な流体容器４２）からのみ流体が供給される。代わりに又は加えて、制御装置９は、一度に２個以上の交換可能な流体容器から又は２個以上の交換可能な流体容器へ流体を供給するか又は返送することが可能なように、弁８を制御してもよいことが理解される。換言すると、少なくとも２個以上の選択された交換可能な流体容器４を、同時に用いることができる。
【００４１】
図３の例では、機器３は、１個以上の交換可能な流体容器４に連結するドック１２を備えている。
【００４２】
図４の例（さらに、以下に説明するように、図５の例）では、装置１は、交換可能な流体容器４に連結されるように構成された第１のインターフェース１３と、機器３に連結されるように構成された第２のインターフェース１４と、を備えている。装置１は、ハウジング１５を備え、このハウジングは、第１のインターフェース１３と第２のインターフェース１４とを備え得る。図４及び５の例では、ハウジング１５は、流路５、少なくとも１つの弁８、及び制御装置９を少なくとも部分的に収容するように構成されている。ハウジング１５は、容器４のハウジング及び／又は機器３とは別のものであり得る。
【００４３】
図４の例では、流路５は、流体循環システム２の流体ポート６に連結されるように構成された流体ポート５６と、それぞれの流体容器４において、交換可能な流体容器４の流体ポート７に連結されるように構成された流体ポート５７と、を備えている。機器３は、制御装置９に接続可能な機器制御ユニット１６を備えている。一部の例では、制御装置９は、機器３に関連する情報、例えば機器制御ユニット１６によって制御装置９に提供される情報に基づいて、少なくとも１つの弁８を制御するように構成されていてもよい。
【００４４】
一部の例では、機器に関連する情報は、エンジン速度、負荷履歴、停止及び開始周波数、平均機器温度、機器起動数、乗り物燃料消費量（機器が乗り物を構成する場合）などの機器燃料消費量、排気物質、乗り物走行距離（機器が乗り物を構成する場合）、平均サンプ充填量、並びに運転者の攻撃因子（機器が乗り物を構成する場合）などの利用者の行動のうちの少なくとも１種に関するデータを含んでいてもよい。機器制御ユニット１６は、例えば容器４に関連する情報のような他の情報を提供するように構成できることが理解される。
【００４５】
図５及び６に示されている例は、図１に示されている例の要素を含み、共通する要素は、簡潔に、また、明瞭にするために、本明細書では説明しない。
【００４６】
図５は、ｎ個の交換可能な流体容器４を示しており、図６を参照して、制御装置９及び弁８の動作を説明する。図６は、簡潔に、また、明瞭にするために、図５の交換可能な流体容器のうちの２個のみを示している。流体循環システム２の少なくとも１つの流体ポート６は、流体排出ポート（fluid scavenging port）６１と、流体供給ポート６２と、を備えている。それぞれの交換可能な流体容器４の少なくとも１つの流体ポート７は、流体入口ポート７１と、流体出口ポート７２と、を備えている。第１の交換可能な流体容器４１に関して示されているように、流路５は、流体循環システム２の流体排出ポート５６１と、少なくとも１個の交換可能な流体容器４の流体入口ポート５７１とに連結されるように構成されている。また、流路５は、少なくとも１個の交換可能な流体容器４の流体出口ポート５７２と、流体循環システム２の流体供給ポート５６２とに接続されている。
【００４７】
装置１の少なくとも１つのポンプ１１は、流体排出ポート６１と交換可能な流体容器４の流体入口ポート７１との間に流体を流すように構成されたポンプ１１１を含んでいる。図５及び６の例では、流路５は、（図６にも更に詳細に示されているように）更に、流体排出ポート６１と交換可能な流体容器４の流体入口ポート７１との間の流路５内に、弁８を備えている。流路５は、（図６にも示されているように）少なくとも１個の交換可能な流体容器４の流体出口ポート７２と流体循環システム２の流体供給ポート６２との間の流路５内に、弁８を備えている。
【００４８】
少なくとも１つのポンプ１１は、更に、交換可能な流体容器４の流体出口ポート７２と流体循環システム２の流体供給ポート６２との間に流体を流すように構成されたポンプ１１２を含んでいる。ただし、ポンプ１１２は任意であり、一部の例では、容器４から流体循環システム２への流体供給は、例えば重力又は圧力勾配によって行われてもよいことが理解される。
【００４９】
流体循環システム２の少なくとも１つの流体ポート６は、更に、ベントポート６３を備え、それぞれの交換可能な流体容器４の少なくとも１つの流体ポート７は、更に、少なくとも１つのベントポート７を備えている。第１の交換可能な流体容器４１に関して示されているように、流路５は、ベントポート５６３とベントポート５７３とに連結されるように構成されている。流体循環システム２のベントポート６３は、（例えば、周囲大気に接続された）流体循環システム２のブリーザと流体接続しており、流体容器４内の流体量レベルが変化するために、交換可能な流体容器４内の過度の負圧及び／又は正圧を回避するように構成されている。
【００５０】
流路５は、（図６に示されているように）ベントポート６３とベントポート７３との間の流路５内に、弁８を備えている。弁８はそれぞれ二方弁であり、その一方向が、流体を流体循環システム２内に流すことが可能であり、他方が、交換可能な流体容器の対応する流体ポート中に流体を流すことが可能である。流体循環システム２と交換可能な流体容器４それぞれとの間の流路５中における流体の選択的な通過は、以下に説明するように、弁８によって制御することができる。作動時に、制御装置９は、弁８のうちの少なくとも１つを制御して、第１の交換可能な流体容器４１と流体循環システム２との間において流路５を介する流体の流れを制御することができる。
【００５１】
図６に更に詳細に示されているように、制御装置９は、排出ポート６１と流体入口ポート７１との間に配置された弁８ａ、及び出口ポート７２と流体供給ポート６２との間に配置された弁８ｂを、第１の交換可能な流体容器４１に対して開状態にすることができる。一部の例では、ベントポート６３とベントポート７３との間に配置された弁８ｃは、最初に、第１の交換可能な流体容器４１に対して閉状態にあってもよい。
【００５２】
作動時に、第１の交換可能な流体容器４１から、流路５、出口ポート７２、弁８ｂ及び流体供給ポート６２を介して、流体循環システム２へ流体を供給することができる。流体循環システム２に供給された流体は、流体循環システム２内を循環し得る。流体循環システム２内を循環した後、流体は、流体循環システム２から、流路５、排出ポート６１、ポンプ１１１、弁８ａ及び流体入口ポート７１を介して、第１の交換可能な流体容器４１に返送され得る。ベントポート６３とベントポート７３との間に配置された弁８ｃは、流路５及び流体容器４１中における流体の循環時に、第１の交換可能な流体容器４１の流体量レベルが変化しないため、第１の交換可能な流体容器４１に対して閉状態にあり得る。代わりに又は加えて、流体は、流体循環システム２内の循環と同時に、第１の交換可能な流体容器４１に返送されてもよい。
【００５３】
制御装置９は、（図６に示されているように）弁８を制御して、第２の（右側の）交換可能な流体容器４２と流体循環システム２との間における流路５を介する流体の流れを制御することができる。制御装置９は、排出ポート６１と流体入口ポート７１との間に配置された弁８ｄ、出口ポート７２と流体供給ポート６２との間に配置された弁８ｅ、及びベントポート６３とベントポート７３との間に配置された弁８ｆを最初に、例えば第２の交換可能な流体容器４２に対して閉状態にしてもよい。これは、上で説明したように、流体が容器４１とシステム２との間を循環している間に生じ得る。
【００５４】
そして、制御装置９は、弁８ａ、８ｂ及び８ｃを、第１の交換可能な流体容器４１に対して閉状態にし、また、弁８ｄ及び８ｅを第２の交換可能な流体容器４２に対して開状態にすることができる。
【００５５】
一部の例では、第１の交換可能な流体容器４１に関して上で説明したように、流体が第２の交換可能な流体容器４２とシステム２との間を循環するとき、ベントポート６３とベントポート７３との間に配置された弁８ｆは閉状態のままであってもよい。第１の流体容器４１に関して説明したように、第２の交換可能な流体容器４２と流体循環システム２との間において流路５を介して、流体を供給し返送することができる。
【００５６】
第２の交換可能な流体容器４２について説明したように、弁８ｄ、８ｅ及び８ｆの動作は、第１の交換可能な流体容器４１以外のｎ個の容器４のすべてに対して該当し得ることが理解される。また、制御装置９は、ｎ個の容器４のすべてに対応する弁８を制御して、流体循環システム２と、１個以上の第１の交換可能な流体容器４との間に流体が流れるのを選択的に抑制するように構成されていてもよいが、流体循環システム２と１個以上の第２の交換可能な流体容器４との間に、又はその逆も同様に流体を選択的に流せることも理解される。
【００５７】
図５及び６の例では、１個以上の交換可能な流体容器４には、データプロバイダ１７が設けられている。データプロバイダ１７は、制御装置９に接続され得る。一部の例では、データプロバイダ１７は、データプロバイダ１７と制御装置９及び／又は機器３との間の電子ハンドシェイクを介して、機器の要件（エンジンなど）に流体（オイルグレード又は流体の他の特性）を適合させることが可能である。一部の例では、制御装置９は、容器４に関連する情報、例えばデータプロバイダ１７によって制御装置９に提供される情報に基づいて、少なくとも１つの弁８を制御するように構成されていてもよい。または、データプロバイダ１７は、機器又は装置に接続されていてもよい。
【００５８】
一部の例では、交換可能な流体容器のうちの少なくとも１個に関連する情報は、流体の特性及び／又は交換可能な流体容器の特性のうちの少なくとも１種に関するデータを含んでいてもよい。一部の例では、流体の特性は、流体の種類、流体のグレード、流体の配合、流体の添加剤、流体の粘度、流体の経過時間（age）、流体の純度、流体の導電率、流体の温度及び／又は流体の圧力のうちのいずれか１種以上を含んでいてもよい。流体の特性は、機器のセンサによって直接提供され得る。代わりに又は加えて、流体の特性は、容器のセンサによって直接提供されてもよい。代わりに又は加えて、流体の特性は、機器又は容器のセンサによって提供されるデータから決定されてもよい。機器又は容器のセンサによって提供されるデータには、プロキシ特性、すなわち、他の特性を決定するのに用いられる特性が含まれ得る。
【００５９】
一部の例では、交換可能な流体容器の特性は、容器が新しいか又は以前に補充されたか若しくは交換されたか否かの表示、容器が補充された若しくは再使用された回数、容器を使い切るのに要した走行距離若しくは期間、容器が充填されたか若しくは補充された日付、及び／又は容器独自の識別子のうちのいずれか１種以上を含んでいてもよい。データプロバイダ１７は、機器に関連する情報を提供するように構成され得ることが理解される。
【００６０】
図５及び６の例では、機器３は、制御装置９に接続され得る乗り物を構成する場合に、運転者などの利用者からのデータ入力又は利用者へのデータ出力を可能にするユーザインターフェース１８を備えている。一部の例では、制御装置９は、機器３及び／又は容器４に関連する情報に基づいて、少なくとも１つの弁８を制御するように構成されていてもよい。この情報は、ユーザインターフェース１８によって制御装置９に提供され得る。ポンプ１１１と任意のポンプ１１２は、交換可能な流体容器４のすべてに対して共通である。換言すると、ポンプ１１１及び１１２は、流体循環システム２と弁８との間に配置され、弁８は、ポンプ１１１及び１１２と流体容器４との間に配置されている。一部の例では、それぞれの交換可能な流体容器４は、専用ポンプ１１及び／又は任意のポンプ１１２を備えていてもよいことが理解される。
【００６１】
ここで、本開示に説明されている制御装置の例のうちの少なくとも一部に共通し得る制御装置９の動作例を以下に説明する。
【００６２】
一部の例では、制御装置９は、例えば図１〜６を参照して説明したように、交換可能な流体容器４のうちの少なくとも１個から流体循環システム２への流体の供給を制御するように構成されていてもよい。流体供給は、（例えば、流体が潤滑油の場合）機器の耐久性を向上させることができる。一部の例では、制御装置９は、流体循環システムにおいて、１個以上の第１の交換可能な流体容器内に収容された流体の循環が望ましい（例えば、所定の条件を満たす、及び／又は流体を供給する必要がある、すなわち、潤滑及び／又は添加剤が必要である）と判断するように構成されていてもよい。この状況では、制御装置９は、少なくとも１つの弁を制御して、１個以上の第１の交換可能な流体容器と流体循環システムとの間を流体が循環できるように構成され得る。この状況では、例えば、流体を流体循環システムに供給してもよい。一部の例では、１個以上の第１の交換可能な流体容器から、流体を回収してもよい。
【００６３】
加えて又は代わりに、一部の例では、制御装置９は、流体循環システムにおいて、１個以上の第１の交換可能な流体容器内に収容された流体の循環が停止され得ると判断するように構成されていてもよい。一部の例では、所定の条件が満たされ、及び／又は１個以上の第１の交換可能な流体容器からの流体は、もはや必要ではなく、及び／又は１個以上の第１の交換可能な流体容器は空である。この場合、制御装置９は、流体循環システムにおいて、１個以上の第２の交換可能な流体容器内に収容された流体の循環が望ましいと判断するように構成することができる。一部の例では、所定の条件が満たされ、及び／又は、流体循環システムには、更に多くの及び／又は種々の種類の潤滑及び／又は添加剤が必要である。制御装置９は、少なくとも１つの弁を制御して、１個以上の第２の交換可能な流体容器と流体循環システムとの間を流体が循環できる（例えば、流体が流体循環システムに供給される（及び／又は１個以上の第２の交換可能な流体容器から回収される））ように構成することができる。加えて又は代わりに、一部の例では、制御装置９は、少なくとも１つの弁を制御して、１個以上の第２の交換可能な流体容器と流体循環システムとの間を流体が循環できるように構成されていてもよい。これによって、機器を、オフ又はオンに切り替えずに（すなわち、「能動的動作」にある。）、１個以上の第１の交換可能な流体容器を流路から分離させて、稼動させることができる。例えば、１個以上の第１の交換可能な流体容器は、機器が依然として稼動しているときに交換されてもよい。
【００６４】
加えて又は代わりに、一部の例では、制御装置９は、流体システム内を循環している流体の少なくとも１つの流体属性要件を決定して、機器の通常動作を維持できるように構成されていてもよい。本開示に関連して、通常動作時に、機器は正常に作動するが、必要に応じて、オンとオフとに切り替えられてもよい。一部の例では、所定の機器メンテナンス間隔は、もはや流体が交換されるか否かに依存されない。流体属性要件の決定は、流体システム内を循環している流体に関連する情報に基づき得る。流体属性要件の限定的ではない例としては、所定の及び／又は決定された流体属性要件が挙げられる。流体属性要件の限定的ではない例としては、添加剤の種類、粘度の値、及び流体の純度が挙げられる。一部の例では、１つ以上の流体属性要件は、流体循環システム内を循環している流体に関連する情報に基づいて決定されてもよい。一部の例では、流体循環システム内を循環している流体に関連する情報は、機器及び／又は容器のセンサによって提供されてもよい。
【００６５】
一部の例では、流体循環システム内を循環している流体に関する情報を用いて、流体循環システム内の流体の状態を判断してもよい。このような例では、制御装置９は、少なくとも１つの弁を制御して、決定された１つ以上の流体属性要件に基づいて、流体循環システムと１個以上の交換可能な流体容器との間を循環できるように構成されていてもよい。このような例では、制御装置は、決定された少なくとも１つの流体属性要件に基づいて、１個以上の第１の交換可能な流体容器と１個以上の第２の交換可能な流体容器との間を選択的に循環できるように構成されていてもよい。
【００６６】
一部の例では、制御装置は、第１の交換可能な流体容器内に収容された流体が、１つ以上の流体属性要件を満たすか否かを判断し、及び／又は第２の交換可能な流体容器内に収容された流体が、１つ以上の流体属性要件を満たすか否かを判断するように構成されていてもよい。
【００６７】
代わりに又は加えて、制御装置９は、例えば図４〜６を参照して説明したように、流体循環システム２から交換可能な流体容器４のうちの少なくとも１個への流体の返送を制御するように構成されていてもよい。流体返送は、使用済み流体の閉ループ再利用を向上させることができる。
【００６８】
一部の例では、制御装置９は、流体循環システム内の流体の循環がもはや望ましくないと判断するように構成されていてもよい。これは、例えば、所定の条件が満たされる場合、及び／又は流体が流体循環システムから回収される必要がある場合であり得る。このような例では、交換可能な流体容器から流体システムへの流体の供給に関する説明と同様に、制御装置は、弁（場合により、ポンプ）を制御して、１個以上の交換可能な流体容器へ流体を返送できるように構成されていてもよい。返送は、例えば、１個以上の容器において選択的に実行されてもよい。
【００６９】
代わりに又は加えて、交換可能な流体容器４のうちの少なくとも１個が（例えば、図１、２、５及び６に示されているように）フィルタ１０を備える場合、制御装置９は、交換可能な流体容器４のフィルタ１０を通した流体循環システムからの流体のろ過を制御するように構成されていてもよい。例えば、流体循環システム２内を循環している流体が一定量の不純物（例えば、汚染物質）を含むと判断された場合、例えばセンサを用いて、例えば機器３及び／又は容器４によって判断され、閾値（例えば、所定の閾値、又は例えば機器３及び／又は容器４によって決定された閾値）を上回っているとき、流体は、流体循環システム２に返送される前に、フィルタ１０を備えた交換可能な流体容器に返送され、フィルタ１０によってろ過されてもよい。ろ過の制御は、機器耐久性及び機器効率（例えば、燃料効率及びエンジン寿命）を向上させることができる。
【００７０】
代わりに又は加えて、制御装置９は、流体循環システム２と交換可能な流体容器４のうちの少なくとも１個との間の流体の比率を制御するように構成されていてもよい。このような例では、制御装置９は、少なくとも１個の交換可能な流体容器４から供給される流体の量（及び／又は少なくとも１個の交換可能な流体容器に返送される流体の量）を制御するように構成されていてもよい。一部の例では、（例えば、サンプが存在する場合に機器のサンプ内の）流体量を管理することによって、例えば機器の暖機時の燃料消費が削減されてもよい。
【００７１】
ここで、図５及び６の例を参照して、動作例について説明する。例では、作動時に、制御装置９は、第１の流体が流体容器４を出て及び／又は流体容器に入り、これによって、第１の容器４１内の流体量レベルが変化するため、弁８ｂを制御して、流体出口ポート７２と流体供給ポート６２との間に流体が流れるのを抑制し、弁８ｃを制御して、流体循環システム２のベントポート７３とベントポート６３との間に流体（例えば、空気及び／又は蒸気のような気体）を流すことが可能である。また、作動時に、制御装置９は、流体入口ポート７１と流体排出ポート６１との間の弁８ａを制御して、流体を（例えば、以下に説明するような可逆回転形ポンプ１１１を用いて）交換可能な流体容器から及び／又は交換可能な流体容器へ流してもよい。
【００７２】
このような動作例では、以下に説明するように、第１の交換可能な流体容器４１から及び／又は第１の交換可能な流体容器への流体の量は、（例えば、流体循環システムの充填動作時に）制御されてもよい。
【００７３】
流体循環システム２内の、第１の交換可能な流体容器４１からの流体の量（及び／又は比率）が閾値（例えば、所定の閾値、又は例えば機器３によって決定された閾値）を下回ると判断された場合、ポンプ１１１は、交換可能な流体容器４１から流体循環システム２へ流体を流すことができる。
【００７４】
代わりに又は加えて、流体循環システム２内の、第１の交換可能な流体容器４１からの流体の量（及び／又は比率）が閾値（例えば、所定の閾値、又は例えば機器３によって決定された閾値）を上回ると判断された場合、ポンプ１１１は、流体循環システム２から交換可能な流体容器４１へ流体を流すことができる。
【００７５】
上述の動作例は、例えば図４に示されている例を参照して、本開示の他の例にも該当し得ることが理解される。
【００７６】
上述した一部の例では、制御装置９は、少なくとも１つの弁８を制御して、流体循環システム２と、１個以上の第１の交換可能な流体容器４との間に流体が流れるのを選択的に抑制するように構成されていてもよいが、流体循環システム２と１個以上の第２の交換可能な流体容器４との間に流体を選択的に流すことができる。このような例では、図３の上向き矢印によって示されているように、制御装置９は、１個以上の第１の交換可能な流体容器４（例えば、第１の交換可能な流体容器４１）の流体ポート７から流路５を分離させることができるように構成されていてもよく、流体は、１個以上の第２の交換可能な流体容器４と流体循環システム２との間を流れる。交換可能な流体容器は、装置若しくは機器から非破壊的に取り外すことができ、及び／又は装置若しくは機器に非破壊的に再び連結することができ、例えば、装置若しくは機器に非破壊的に再び嵌め込まれ及び／又は再び取り付けられ及び／又は再びつなげられてもよい。
【００７７】
上述の動作例を、制御装置９に関して説明する。以下に更に詳細に説明するように、一部の例では、装置１に含まれる制御装置９は、単一体でなくてもよく、装置１の種々の部品に分散していてもよい。加えて又は代わりに、装置１は、既に説明した制御装置９に加えて、他の制御装置及び／又はプロセッサを備えていてもよい。したがって、本開示では、説明されているステップのうちの１つ以上を、少なくとも部分的に、制御装置９によって実行される代わりに又はこれに加えて、装置１によって実行されてもよいことが理解される。制御装置９は、例えば、交換可能な流体容器４内にあり、また、機器又は装置の制御システムと通信するように構成されていてもよい。
【００７８】
一部の例では、装置１及び／又は制御装置９は、１個以上の交換可能な流体容器の予想使用期間を決定するように構成されていてもよい。予想期間の限定的ではない例としては、次のものが挙げられる。機器及び／又は流体の温度が閾値を下回っている限り、期間は、流体の有効期限に達する前である。一部の例では、予想期間は、経過時間に基づいていてもよく、及び／又は機器に関する情報（周囲温度、及び／又は機器が乗り物を構成する例では走行距離など）に基づいていてもよく、交換可能な流体容器に関する情報（流体量レベル若しくは流体の温度などの情報）に基づいていてもよい。同様に、装置１及び／又は制御装置９は、代わりに又は加えて、１個以上の交換可能な流体容器の使用必要性（required use）を決定するように構成されていてもよいことが理解される。これは、例えば、交換可能な流体容器が空である場合、及び／又は流体循環システム内を循環している流体の状態が検出された場合に、実行されてもよい。上で説明したように、装置１は、制御装置９を備えているため、上述のステップのうちの少なくとも一部を実行してもよく、代わりに又は加えて、装置１は、制御装置９に加えて、他の制御装置及び／又はプロセッサも備えていてもよい。
【００７９】
このような例では、制御装置９は、決定された予想期間及び／又は使用必要性に基づいて、少なくとも１つの弁８を制御するように構成されていてもよい。
【００８０】
このような例では、装置１及び／又は制御装置９は、決定された予想期間及び／又は使用必要性に基づいて、流体循環システム２と１個以上の交換可能な流体容器４との間に流体を流すことができ及び／又は流体が流れるのを抑制するように構成されていてもよい。
【００８１】
一部の例では、装置１及び／又は制御装置９は、予想期間（及び／又は使用必要性）に達する前に、１個以上の第１の流体容器間に流体を流すことができるように構成されていてもよい。流すことができるようにすることは、例えば、１個以上の第２の流体容器間に流体が流れるのを抑制する間に生じてもよい。一部の例では、装置１及び／又は制御装置９は、予想期間（及び／又は使用必要性）に達するとき及びその後に、１個以上の第１の交換可能な流体容器間に流体が流れるのを抑制するようにも構成されていてもよい。これは、例えば、第１の交換可能な流体容器が空であるか、又は有効期限に達した場合であり得る。流れるのを抑制することは、例えば、１個以上の第２の流体容器間に流体を流すことができる間に生じてもよい。
【００８２】
装置１及び／又は制御装置９は、低粘度の流体（潤滑油など）を選択的に流すことができるように構成されていてもよい。これは、周囲温度及び／又は流体の温度が閾値よりも低い場合であり得る。また、これは、機器の停止又は始動デューティサイクル時にもあり得る。一部の例では、装置１及び／又は制御装置９は、高粘度の流体（潤滑油など）を選択的に流すことができるようにも構成されていてもよい。これは、周囲温度及び／又は流体の温度が閾値よりも高い場合であり得る。また、これは、機器の通常動作時にもあり得る。
【００８３】
流体（例えば、潤滑油）が燃料及び／又は水により希釈されるとき、流体の粘度及び／又は純度が所望のレベル（例えば、所定の仕様）と比較して非常に低い、という状況も生じ得る。したがって、これは、使用される流体の全体的な品質を決定するのに用いられ得る。
【００８４】
一部の例では、装置１及び／又は制御装置９は、少なくとも１つの流体循環システムと少なくとも２個の独立して交換可能な流体容器との間の流体分配を制御して、所定の機器メンテナンス又は他のメンテナンス間隔において機器の通常動作を維持し、これによって、機器の予期しない停止又はメンテナンスを回避するように構成されていてもよい。一部の例では、交換可能な流体容器及び／又は２種類の流体の間の切り替えは、機器のゼロの中断時間によって完了されてもよい。一部の例では、予想期間（及び／又は使用必要性）の決定は、いったん先の予想期間（及び／又は使用必要性）に達すると、リセットされてもよい。
【００８５】
代わりに又は加えて、装置１及び／又は制御装置９は、決定された予想期間及び／又は使用必要性に基づいて、１個以上の交換可能な流体容器を交換する必要があることを示す出力（例えば、視覚的及び／又は聴覚的なもの）を発生させるように構成されていてもよい。一部の例では、交換可能な流体容器（例えば、どの交換可能な流体容器）を交換する必要があることを利用者に示すメッセージを、ユーザインターフェース１８に送信してもよい。一部の例では、１個の交換可能な流体容器のみをいつでも交換してもよく、これによって、例えば機器が作動している間に、迅速に流体を交換することができる。これは、機器の能動的動作、すなわち、例えば機器が稼動しているときに生じ得る。機器の能動的動作の限定的ではない例としては、発電機が依然として稼動している間に、乗り物が積み替えられるか又は作動することが挙げられる。
【００８６】
一部の例では、ポンプ１１は、機器がドライサンプを備える場合には掃気ポンプとして機能するように、又は、機器がウェットサンプを備える場合には返送ポンプとして機能するように構成されていてもよい。一部の例では、少なくとも１つのポンプ１１は、機器３によって少なくとも部分的に動力が供給され及び／又は駆動するように構成されている。機器がエンジンを構成する場合、ポンプはエンジン自体によって直接駆動し得る。一部の例では、ポンプ１１は、機器３の動作によって動力が供給されてもよい。このような例では、機器が例えばエンジンを構成する場合、ポンプ１１は、エンジンの動作によって（例えばエンジンの回転を用いて、例えばエンジンのクランクシャフトによって動力が供給されて）動力が供給され、及び／又はエンジンによって（例えば、エンジンのクランクシャフトによって駆動して）駆動してもよい。
【００８７】
ポンプ１１は、機械ポンプを含み得る。一部の例では、ポンプ１１は機械ポンプである。一部の他の例では、ポンプ１１の一部のみが機械ポンプであり、ポンプ１１は他の構成部品を含んでいる。
【００８８】
一部の例では、機器３は、例えばバッテリーを含む電源１９を備えていてもよい。一部の例では、電源１９は、（例えば、機器がハイブリッドエンジンを構成する場合）機器のエンジンの一部であってもよい。代わりに又は加えて、電源１９は、予備の専用電源であってもよい。一部の例では、電源１９は、機器３の外部にある電源であってもよい。
【００８９】
一部の例では、少なくとも１つのポンプ１１は、電動ポンプを含んでいる。一部の例では、ポンプ１１は、（図５に示されているように）電源１９によって電力が供給され及び／又は駆動する。一部の例では、ポンプは、電源１９によって電力が供給される電気機械装置によって駆動してもよい。
【００９０】
図５に示されている例では、電動ポンプ１１は、流体を、必要な水圧及び／又は速度において、交換可能な流体容器４と流体循環システム２との間において流路５を介して流すことが可能である。電動ポンプ１１は、制御することができるため、従来の機械ポンプにより発生する場合があり、そしてエネルギーの浪費を発生させる場合がある、非常に高い流体圧力を回避することができる。電動ポンプ１１は、リリーフ弁をエンジンサンプに戻す必要性をなくすことができる。図４及び５に示されている例では、装置１は、パッケージングに設け、容器４と機器３との間に設置することができ、例えば、機器のエンジンに取り付けられていてもよい。一部の例では、本装置は、例えば、機器３にレトロフィットされてもよい（retro-fitted）。本装置は、機器の外部にオールインワンモジュールパッケージングを備え得る。
【００９１】
図４及び５に示されている例では、本装置は、例えば交換可能な流体容器とともに用いるように乗り物を設計するか又は適合させる場合に、エンジン及び乗り物のエンジンルーム（under-bonnet）の再設計及び再パッケージングの必要性をなくすことができる。流体が潤滑油（oil lubricant）である例では、装置１は、機器（例えば、乗り物及び／又はエンジン）の種々の位置において、潤滑油ポンプ、潤滑油通路及び潤滑油コネクタの分散を回避することができ、このため、信頼性及び機器統合を向上させる。流体が潤滑油である例では、電動ポンプによって、所望の種々のトライボロジー形態（tribological regimes）下で潤滑油を維持することが可能である。
【００９２】
一部の例では、制御装置９は、少なくとも部分的に、機器制御ユニット、例えば、乗り物制御ユニット、又は乗り物のエンジンコントロールユニット（ＥＣＵ）のうちの一部を構成していてもよい。加えて又は代わりに、一部の例では、制御装置９は、少なくとも部分的に、少なくとも１個の容器４、例えば、容器４のデータプロバイダ１７のうちの一部を構成していてもよい。加えて又は代わりに、制御装置９は単一体でなくてもよく、機器３、装置１又は１個以上の容器４の１つ以上の種々の部品に分散していてもよい。
【００９３】
流体循環システム２は、（図５及び６に示されているように）流体圧送機能２１と調節機能２２とを統合することができる。
【００９４】
一部の例では、調節機能２２には、（例えば、流体循環システム２内の流体を加熱し及び／又は冷却して、流体の温度及び／又は粘度を制御する）少なくとも１つの温度調節システムが含まれている。一部の例では、温度調節流体は、例えば温度制御システムを介して温度調節流体を流すように構成されたポンプ（図には示されていない。）を備える、温度調節システム内を流れてもよい。一部の例では、温度調節流体は、空気、水素、不活性ガス、水及び不凍液のうちの１種以上を含む。一部の例では、調節機能２２には、あらゆる種類のものであり得る熱交換器が含まれていてもよい。例えば、熱交換器は、第１の流体（例えば、温度調節システムからの流体）が流れる外壁と、外壁内に、第２の流体（例えば、流体循環システム２からの流体）が流れる、１つ以上の管と、を備えていてもよい。他の種類の熱交換器も想定される。一部の限定的ではない例では、温度調節システムは、１つ以上の放熱器を備えていてもよい。
【００９５】
一部の例では、機器３の温度調節システムは、更に、少なくとも１つのエネルギー貯蔵装置、例えば、機器冷却システム、及び／又は機器の暖房、換気及び空調（ＨＶＡＣ）システム、及び／又は電源１９、及び／又は潜熱蓄熱器に関連付けられていてもよい。
【００９６】
一部の例では、流体容器のうちの少なくとも１個は、流体の温度又は粘度を制御するように、温度調節システム（ヒーター若しくは蓄熱ユニットなど）に関連付けられていてもよい。一部の例では、温度調節システムは、機器及び／又は装置のドックに配置されていてもよい。代わりに又は加えて、流体の粘度は、流体の配合によって制御されてもよいことが理解される。
【００９７】
本開示の一部の他の限定的ではない例としては、流体交換システムが挙げられる。この流体交換システムは、少なくとも２個の独立して交換可能な流体容器４と、流体循環システム２と、流体循環システム５と少なくとも２個の独立して交換可能な流体容器４との間の流体分配を制御するように構成された制御装置９と、を備えている。流体分配は、独立して交換可能な流体容器４のうちの１個が存在しない状態においては、中断されない。
【００９８】
流体交換システムの一部の例では、流体は潤滑油であってもよい。
【００９９】
一部の例では、流体交換システムは、本開示のあらゆる態様に係る制御装置９を備えていてもよい。
【０１００】
本開示の例は、図７に示されているように、機器に関連する少なくとも１つの流体循環システムと、少なくとも２個の交換可能な流体容器との間の流体分配を制御する方法を提供する。
【０１０１】
一部の例では、流路は、流体循環システムの少なくとも１つの流体ポートと、交換可能な流体容器それぞれの少なくとも１つの流体ポートとに連結されている。流路は、流体循環システムの少なくとも１つの流体ポートを、交換可能な流体容器それぞれの少なくとも１つの流体ポートに連結することができる。流路は、流体循環システムと少なくとも１個の交換可能な流体容器との間に、少なくとも１つの弁を備えている。制御装置は、少なくとも１つの弁を制御するように構成されている。
【０１０２】
図８には、機器の動作を維持する方法が示されており、本装置は、これに関連する流体循環システムを有し、流体循環システム内に流体を循環させて作用させる必要がある。一部の例では、この方法は、Ｓ１において、次のステップを含む。
ステップ１００：少なくとも２個の独立して交換可能な流体容器から、第１の独立して交換可能な流体容器を選択するステップ、
ステップ１０２：第１の独立して交換可能な流体容器と流体循環システムとの間の流路を開くステップ、
ステップ１０４：少なくとも２個の独立して交換可能な流体容器から、第２の独立して交換可能な流体容器を選択するステップ、
ステップ１０６：第２の独立して交換可能な流体容器と流体循環システムとの間の流路を開くステップ、
ステップ１０８：装置から第１の交換可能な流体容器を取り外すことができると判断するステップ、及び
ステップ１１０：第２の独立して交換可能な流体容器を用いて、第１の独立して交換可能な流体容器の取り外し時に、機器の動作を維持するステップ。
【０１０３】
図９に示されているように、例えばＳ１において、少なくとも２個の独立して交換可能な流体容器から、第１の独立して交換可能な流体容器を選択するステップは、次のステップを含む。
ステップ１１２：装置の流体循環システム内に存在する流体の状態を分析するステップ、
ステップ１１４：この状態を用いて、機器を継続的に作動させることが可能な流体属性要件を決定するステップ、
ステップ１１６：第１の交換可能な流体容器内に収容された第１の流体が、流体属性要件を満たすか否かを判断するステップ、
ステップ１１８：第２の交換可能な流体容器内に収容された第２の流体が、流体属性要件を満たすか否かを判断するステップ、及び
ステップ１２０：判断に基づいて、第１の流体又は第２の流体のいずれかを選択して、循環システム内に存在する流体を補充するステップ。
【０１０４】
一部の例では、上述され図８及び９を参照して示されている方法は、更に、少なくとも１つの弁を制御して、少なくとも１個の独立して交換可能な流体容器と流体循環システムとの間を流体が循環できるようにすることを含んでいてもよい。一部の例では、本方法は、更に、流体循環システムから、独立して交換可能な流体容器のうちの少なくとも１個への流体の返送を制御することと、少なくとも１つの弁を制御して、流体循環システムと１個以上の独立して交換可能な流体容器との間に流体が流れるのを選択的に抑制することと、を含んでいてもよい。第１の流体及び第２の流体は、理想的には潤滑油であるか、又は所望の潤滑性を得るように潤滑油に有用な添加剤である。
【０１０５】
一部の例では、装置から第１の交換可能な流体容器を取り外すことができると判断するステップは、更に、独立して交換可能な流体容器の性能に基づいて、１個以上の独立して交換可能な流体容器の予想使用期間を算出すること、又は機器の性能に基づいて、１個以上の独立して交換可能な流体容器の予想使用期間を算出することを含む。
【０１０６】
他の例としては、乗り物、オートバイ、乗用車、バン、トラック、客車、重量車、土工車、採掘車、オフハイウェイ車、ヨット、モーターボート、プレジャーボート、ジェットスキー、漁船、空中船；産業機械；モータ、エンジン、ドライブトレーン、ギアボックス；又は、リバースエンジン、発電機若しくは風力タービンにおける、本開示の態様のうちのいずれか１つの装置の使用が挙げられる。
【０１０７】
他の例としては、乗り物、オートバイ、乗用車、バン、トラック、客車、重量車、土工車、採掘車、オフハイウェイ車、ヨット、モーターボート、プレジャーボート、ジェットスキー、漁船、空中船；産業機械；モータ、エンジン、ドライブトレーン、ギアボックス；又は、リバースエンジン、発電機若しくは風力タービンにおける、本開示の態様のうちのいずれか１つの流体交換システムの使用が挙げられる。
【０１０８】
他の例としては、機器の動作を維持する方法の使用が挙げられ、この方法は、乗り物、オートバイ、乗用車、バン、トラック、客車、重量車、土工車、採掘車、オフハイウェイ車、ヨット、モーターボート、プレジャーボート、ジェットスキー、漁船、空中船；産業機械；モータ、エンジン、ドライブトレーン、ギアボックス；又は、リバースエンジン、発電機若しくは風力タービンにおける、本開示の態様のうちのいずれか１つのものである。
【０１０９】
以下に、例えば図７を参照して、本開示の方法及び手順の他の限定的ではない例を説明する。
【０１１０】
一部の例では、本方法は、Ｓ１において、少なくとも１つの弁を制御して、流体循環システムと少なくとも２個の交換可能な流体容器との間の流体の流れを制御することを含んでいてもよい。
【０１１１】
一部の例では、Ｓ１において、少なくとも１つの弁を制御することは、交換可能な流体容器のうちの少なくとも１個から流体循環システムへの流体の供給を制御することを含んでいてもよい。一部の例では、Ｓ１は、流体循環システムにおいて、１個以上の第１の交換可能な流体容器内に収容された流体の循環要件を決定することと、少なくとも１つの弁を制御して、１個以上の第１の交換可能な流体容器と流体循環システムとの間を流体が循環できるようにすることと、流体循環システムにおいて、１個以上の第１の交換可能な流体容器内に収容された流体の循環がもはや必要でないと判断することと、流体循環システムにおいて、１個以上の第２の交換可能な流体容器内に収容された流体の循環要件を決定することと、少なくとも１つの弁を制御して、１個以上の第２の交換可能な流体容器と流体循環システムとの間を流体が循環できるようにすることと、を含んでいてもよい。
【０１１２】
このような例では、Ｓ１は、更に、少なくとも１つの弁を制御し、１個以上の第２の交換可能な流体容器と流体循環システムとの間を流体が循環できるようにして、１個以上の第１の交換可能な流体容器を流路から分離させて、機器を作動できるようにすることを含んでいてもよい。
【０１１３】
加えて又は代わりに、Ｓ１は、更に、機器を正常に作動させることができるように、流体循環システム内を循環している流体に関連する情報に基づいて、流体システム内を循環している流体の少なくとも１つの流体属性要件を決定することと、少なくとも１つの弁を制御して、少なくとも１つの決定された流体属性要件に基づき、流体循環システムと１個以上の交換可能な流体容器との間を循環できるようにすることと、を含んでいてもよい。
【０１１４】
一部の例では、Ｓ１は、更に、１個以上の第１の交換可能な流体容器と、１個以上の第２の交換可能な流体容器との間を選択的に循環できるようにすることを含んでいてもよい。
【０１１５】
代わりに又は加えて、Ｓ１において、少なくとも１つの弁を制御することは、流体循環システムから、交換可能な流体容器のうちの少なくとも１個への流体の返送を制御することを含んでいてもよい。代わりに又は加えて、Ｓ１において、少なくとも１つの弁を制御することは、（フィルタが存在する場合）少なくとも１個の交換可能な流体容器のフィルタを通して、流体循環システムから流体がろ過されるのを制御することを含んでいてもよい。代わりに又は加えて、Ｓ１において、少なくとも１つの弁を制御することは、流体循環システムと交換可能な流体容器のうちの少なくとも１個との間の流体の比率を制御することを含んでいてもよい。代わりに又は加えて、Ｓ１において、少なくとも１つの弁を制御することは、流体循環システムと１個以上の第１の交換可能な流体容器との間に流体が流れるのを選択的に抑制するが、流体循環システムと１個以上の第２の交換可能な流体容器との間に流体を選択的に流せることを含んでいてもよい。代わりに又は加えて、Ｓ１において、少なくとも１つの弁を制御することは、１個以上の第１の交換可能な流体容器の流体ポートから流路を分離させることができ、１個以上の第２の交換可能な流体容器と流体循環システムとの間に流体が流れることを含んでいてもよい。
【０１１６】
一部の例では、本方法は、１個以上の交換可能な流体容器の予想使用期間及び／又は使用必要性を決定することを含んでいてもよい。少なくとも１つの弁の制御は、決定された予想期間及び／又は使用必要性に基づき得る。本方法は、決定された予想期間及び／又は使用必要性に基づいて、流体循環システムと１個以上の交換可能な流体容器との間に流体を流せるようにすること及び／又は流体が流れるのを抑制することを含み得る。代わりに又は加えて、本方法は、決定された予想期間及び／又は使用必要性に基づいて、１個以上の交換可能な流体容器を交換する必要があることを示す出力を発生させることを含んでいてもよい。
【０１１７】
一部の例では、本方法は、少なくとも１つの流体循環システムと少なくとも２個の独立して交換可能な流体容器との間の流体分配を制御して、所定の機器メンテナンス間隔において機器の通常動作を維持することを含んでいてもよい。
【０１１８】
一部の例では、流体の温度は、少なくとも１個の交換可能な流体容器及び／又は装置及び／又は機器に設けられた流体温度センサ（図には示されていない。）によって提供される温度データを用いて決定されてもよい。
【０１１９】
一部の例では、図７、８及び９に示されている方法は、図１〜６に示されている装置において実施されてもよい。
【０１２０】
図７、８及び９に示されている方法は、少なくとも部分的に、上述した装置１によって、例えば装置の制御装置９によって、実行することができる。一部の例では、図７、８及び９に示されている方法は、少なくとも部分的に、制御装置９のプロセッサによって実行されてもよい。
【０１２１】
本開示の一部の他の限定的ではない例としては、機器を作動させることができるようにする方法が挙げられ、機器は、流体循環システムに関連付けられ、流体を作用させることを必要とし、この方法は、第１の流体を収容する１個以上の第１の交換可能な流体容器、及び、第２の流体を収容する１個以上の第２の交換可能な流体容器の中から選択することと、第１の流体を用いることを決定し、第１の流体を、１個以上の第１の交換可能な流体容器から流体循環システムに引き出すことと、１個以上の第１の交換可能な流体容器を機器から取り外すことができると判断することと、第２の流体を用いることを決定し、第２の流体を、１個以上の第２の交換可能な流体容器から流体循環システムに引き出すことと、１個以上の第１の流体容器が取り外されている間、第２の流体を用いて機器の動作を維持することと、を含む。
【０１２２】
他の限定的ではない例としては、少なくとも１個の第１の交換可能な流体容器、及び、少なくとも１個の第２の交換可能な流体容器の中から選択する方法が挙げられ、それぞれの交換可能な容器は、機器の動作に必要な流体を収容し、この方法は、機器の流体循環システム内の流体の状態を分析することと、分析された状態を用いて、機器を作動させることが可能な流体属性要件を決定することと、少なくとも１個の第１の交換可能な流体容器内に収容された第１の流体が、流体属性要件を満たすか否かを判断することと、少なくとも１個の第２の交換可能な流体容器内に収容された第２の流体が、流体属性要件を満たすか否かを判断することと、判断に基づいて、循環システム内の流体に供給される、第１の流体及び／又は第２の流体を選択することと、を含む。
【０１２３】
他の限定的ではない例としては、先の態様のうちのいずれか１つの装置と、少なくとも１つの流体循環システムに関連する機器とを備えたシステムが挙げられる。場合により、システムは、更に、機器用の少なくとも２個の独立して交換可能な流体容器を備えていてもよい。
【０１２４】
他の限定的ではない例としては、プロセッサ上で実行されるときに、本開示の先の態様のうちのいずれか１つに係る方法を実行するように操作可能なコンピュータプログラム又はコンピュータプログラム製品が挙げられる。他の限定的ではない例としては、プロセッサ上で実行されるときに、プロセッサをプログラムして、本開示の先の態様のうちのいずれか１つに係る装置及び／又はシステムを提供するように操作可能なコンピュータプログラム又はコンピュータプログラム製品が挙げられる。
【０１２５】
以下に、想定され得る変更例及び変形例を説明する。
【０１２６】
図４及び５の例では、装置１及び交換可能な流体容器４は、機器の一部ではないものとして示されている。一部の例では、装置１及び／又は交換可能な流体容器４は、少なくとも部分的に、機器の一部を構成していてもよいことが理解される。このような例では、装置１及び／又は交換可能な流体容器４は、機器のハウジング内に、例えば乗り物のエンジンルームに配置されていてもよい。
【０１２７】
本開示のあらゆる態様の装置を備えたシステムは、少なくとも部分的に、１個以上の交換可能な流体容器又は機器に連結するドックを備え得ることが理解される。他の例では、本装置は、少なくとも部分的に、１個以上の交換可能な流体容器又は機器に連結するドックであってもよい。一部の他の例では、本開示のあらゆる態様の装置を備えたシステムは、少なくとも部分的に、ドック以外の機器の一部を備えるか、又はドック以外の機器の一部であってもよい。このような例では、機器の一部は、少なくとも部分的に、機器のエンジンを備えていてもよい。
【０１２８】
制御装置９に関連するプロセッサは、例えば通信（例えば、エンジンコントロールユニット（ＥＣＵ）又はエンジン管理システムをつなぐ制御装置エリアネットワーク（ＣＡＮ）バス）を用いて、装置１及び／又は交換可能な流体容器４及び／又は機器３との通信（暗号化された通信であってもよい。）を管理するマイクロコントローラ装置などの制御装置、又は当該制御装置を有する同種のものであり得る。
【０１２９】
制御装置９に関連するプロセッサは、温度センサによって測定された温度を用いて、流体容器内の流体の温度を決定することができる。プロセッサは、装置１の温度センサ（存在する場合）により、流体容器内の流体の温度を決定するのに、温度測定値に対して補正を加えることができる。例えば、装置１の温度センサ（存在する場合）は、容器から所与の距離を置いて配置され、温度センサから流体までの距離を補正するように、補正係数を用いてもよい。
【０１３０】
流体は、機器及び／又は例えば機器のエンジンの機能をサポートするように、機器内を循環する及び／又は機器に関連する流体循環システム内を循環する（すなわち、必ずしも機器内を循環しない）あらゆる種類の流体であり得る。機能は、機器の補助的機能であり得る。
【０１３１】
本開示は、「ドライサンプ（dry sump）」又は「ウェットサンプ（wet sump）」（例えば、流体循環システムがエンジンを備える場合）を有する機器（例えば、乗り物）に応用することができる。
【０１３２】
容器４は、液体である流体用の容器であり得る。適切な液体の例としては、電動エンジン用のエンジン潤滑油（エンジンオイル）及び熱交換流体が挙げられる。
【０１３３】
一部の例では、潤滑油は、少なくとも１種の基油（base stock）と、少なくとも１種の潤滑油添加剤と、を含んでいてもよい。適切な基油としては、生物由来基油、鉱物油由来基油、合成基油及び半合成基油が挙げられる。適切なエンジン潤滑油添加剤は、当技術分野において知られている。潤滑油は、単粘度グレード（mono-viscosity grade）又は多粘度グレード（multi-viscosity grade）の潤滑油であり得る。潤滑油は、専用潤滑油（single purpose lubricating oil）又は多目的潤滑油であり得る。潤滑油が用いられる場合、それぞれの交換可能な流体容器４は、所望の特性、例えば粘度又は添加剤が異なる、種々のグレード又は種類の潤滑油を収容し得る。このように、種々の交換可能な流体容器内の種々の多くの基油及び添加剤からの選択に基づいて、所望の性能を有する潤滑油を混合することが可能である。例えば、第１の流体容器４は、低温において特に有効で、かつ、低温始動を促進する潤滑油を収容してもよい。第２の流体容器４は、特定の状況下で、例えば長距離移動（long journeys）又は暑い天候において有用な添加剤を収容し得る。
【０１３４】
一部の例では、機器は、少なくとも１つの電動ドライブトレーンを構成していてもよい。一部の例では、機器は、ハイブリッド車を構成していてもよい。
【０１３５】
電動エンジンには、エンジンを加熱し及び／又はエンジンを冷却するのに熱交換流体が必要であり得るため、容器は、電動エンジンの熱交換流体用の容器であり得る。これは、エンジンの動作サイクルによって異なり得る。また、電動エンジンには、熱交換流体の貯留槽も必要であり得る。交換可能な流体容器は、必要に応じて電動エンジンを加熱するのに用いる熱交換流体を貯蔵することが可能な蓄熱容器であり得る。交換可能な流体容器は、必要に応じて電動エンジンを冷却するのに用いる冷却液を、エンジンの動作温度よりも低い温度において貯蔵する容器であり得る。
【０１３６】
電動エンジン用の適切な熱交換流体は、例えば電荷伝導及び／又は電気接続を含んでいてもよい付加的な機能（第１の機能など）を有し、水性又は非水性流体であり得る。電動エンジン用の適切な熱交換流体は、有機及び／又は非有機性能向上添加剤を含み得る。適切な熱交換流体は、人工又は生物由来であり、例えばベタインであってもよい。熱交換流体は、防火特性及び／又は水力学特性を有し得る。適切な熱交換流体には、相変化流体が含まれる。適切な熱交換流体には、溶融金属又は塩が含まれる。適切な熱交換流体には、ナノ流体が含まれる。ナノ流体は、固体、液体又は気体であり得るベース流体中に懸濁したナノ粒子を含む。適切な熱交換流体には、気体と液体とが含まれる。適切な熱交換流体には、液化ガスが含まれる。
【０１３７】
他の例としては、凍結防止剤、及び／又は作動液（ブレーキ系に用いられる流体など）、及び／又は空気流体（pneumatic fluid）、及び／又は洗浄液、及び／又は燃料添加剤、及び／又は電荷伝導液体、及び／又は電気接続性液体（electrical connectivity liquid）、及び／又は熱交換流体、又は機器及び／又は機器のエンジンのあらゆる機能に関連する他の流体のうちの少なくとも１種が挙げられる。
【０１３８】
交換可能な流体容器のデータプロバイダは、プロセッサを備え得る。データプロバイダは、交換可能な流体容器内の流体について記述するデータを記憶するメモリを備え得る。例えば、メモリは、流体のグレード、流体の種類、容器が充填されたか又は補充された日付、容器独自の識別子、容器が新しいか又は以前に補充されたか若しくは交換されたか否かの表示、乗り物の走行距離の表示、容器が補充された又は再使用された回数、及び、容器を使い切るのに要した総走行距離又は期間のうちの少なくとも１種を含むデータを記憶してもよい。
【０１３９】
また、制御装置９に関連するプロセッサは、容器のデータプロバイダのメモリ又はデータストアへのデータを読み取り及び／又は当該メモリ又はデータストアにデータを書き込みすることもできる。このデータは暗号化され、データには、機器データ及びセンサパラメータが含まれ得る。データ保存は、容器を保有する乗り物が、例えば走行距離のマイル及びエンジン稼働時間を蓄積するため、始動時に及び定期的に行うことができる。
【０１４０】
一部の例では、空であるか又は使用済みの若しくは消費した流体を収容する容器を容易に交換することが可能な、新しい、補給された又は未使用の流体を収容する内蔵型容器として、容器４を設けてもよい。
【０１４１】
容器４が更にフィルタを備える場合、消費した又は使用済みの流体とともに、フィルタも交換されてもよい。このため、流体循環システムと流体連通するように保持され、消費した又は使用済みの流体を収容する、交換可能な流体容器は、流体循環システムから分離され、取り外され、また、新しい、補給された又は未使用の流体を収容し、存在する場合、新しい、取り替えられた又は新規のフィルタを含有する容器に交換され得る。
【０１４２】
一部の例では、容器４の一部（例えば、ポート、及び／又はフィルタが存在する場合にはフィルタを備えた部分）は、容器の別の部分から分離され、また、新しい部分が別の部分に取り付けられていてもよい。このため、部品は、再使用され及び又は再利用されてもよい。
【０１４３】
ドックは、容器が取り付けられた後につなげられる物理的構造体であり得る。別の可能性として、ドックは、単に、容器の少なくとも１つの流体ポートに連結する、機器及び／又は流体循環システムの流体継手であってもよい。
【０１４４】
一部の例では、流体出口ポートは、逆止弁を備えていてもよい。逆止弁は、機器が作動していない場合に、流体が容器に逆流するのを防止するか、又は少なくとも抑制することができ、また、流体を満たした循環ポンプへの流体ラインを維持しやすくすることができ、その結果、機器の作動が開始されるとすぐに流体が循環する。加えて又は代わりに、流体入口ポートは、例えば、容器から機器への流体の排出を防止するか又は低減するように、機器が作動していないときに閉じ得る制御弁又は遮断弁を備えていてもよい。加えて又は代わりに、容器が流体循環システムに接続されているとき（そして、流路内の弁が開状態にあるとき）に、流体、例えば、この場合は気体及び／又は蒸気が、ベントポートを通って容器間を流れる必要があり得るため、ベントポートは、弁を含有していなくてもよい。
【０１４５】
流体ポートは流体継手を備え、これはセルフシールであってもよい。
【０１４６】
適切な乗り物としては、オートバイ、乗用車、バン、トラック、客車、重量車、土工車、採掘車、オフハイウェイ車が挙げられる。また、動力を備えた水上輸送船も乗り物として想定され、水上輸送船としては、ヨット、モーターボート（例えば、船外機付き）、プレジャーボート、ジェットスキー又は漁船が挙げられる。本開示の用途は、乗り物の部品のみ、例えば、１つ以上の可動部品（例えば、ギアボックス）を含む部品が想定される。
【０１４７】
適切な機械としては、産業機械及び／又は製造機械及び／又は組立機械が挙げられる。
【０１４８】
適切なモータとしては、乗り物又は機器の静的部品若しくは可動部品の、エンジン、ドライブトレーン及び／又はギアボックスが挙げられる。
【０１４９】
適切なリバースエンジンとしては、風力タービン発電機などの発電機、又は発電機のギアボックスが挙げられる。本装置は、定期点検の利用が困難であり及び／又は危険な場合がある風力タービンギアボックスにおいて好適であり得る。
【０１５０】
適切な空中船としては、飛行船又は有翼航空機が挙げられる。
【０１５１】
容器は、金属及び／又はプラスチック材料から製造することができる。適切な材料としては、例えば最大１５０℃の温度において長時間作用させるのに適し得る強化熱可塑性プラスチック材料が挙げられる。
【０１５２】
容器は、少なくとも１つの商標、ロゴ、製品情報、広告情報、他の識別可能な特徴、又はこれらの組合せを含み得る。容器には、少なくとも１つの商標、ロゴ、製品情報、広告情報、他の識別可能な特徴、又はこれらの組合せが印刷され及び／又はラベル付けされ得る。これは、偽造を防止するという利点があり得る。容器は、単色又は多色であり得る。商標、ロゴ又は他の識別可能な特徴は、容器の他の部分と同じ色及び／又は材料であってもよいし、容器の他の部分とは異なる色及び／又は材料であってもよい。一部の例では、容器には、包装、例えば箱又はパレットが施されていてもよい。一部の例では、包装は、複数の容器に対して施されていてもよく、一部の例では、複数の容器に対して箱及び／又はパレットが施されていてもよい。
【０１５３】
図面を全体的に参照すると、概略的な機能ブロック図は、本明細書に説明されている装置、要素及びシステムの機能を示すのに用いられることが認識される。ただし、このように機能を分ける必要はなく、以下に説明され、特許請求の範囲に記載されているもの以外のハードウェアの特定の構造を意味するものではないことが認識される。図面に示されている１つ以上の要素の機能は、更に、本開示の装置、要素及びシステム全体にわたって細分され及び／又は分散し得る。一部の実施形態では、図面に示されている１つ以上の要素の機能は、単一の機能単位に統合され得る。
【０１５４】
上述の実施形態は、例示として理解される。更なる実施形態も想定される。いずれか１つの実施形態に関して説明されている特徴（限定的ではない例として、弁、ポンプ、ポート、制御装置、センサなど）は、単独で、又は説明されている他の特徴と組み合わせて用いてもよく、また、他の実施形態の１つ以上の特徴と組み合わせて用いるか、又は他の実施形態のあらゆる組合せを用いてもよいことも理解される。さらに、添付の特許請求の範囲に規定されている本発明の範囲から逸脱することなく、上述されていない均等物及び改変物も利用してもよい。
【０１５５】
一部の例では、１つ以上の記憶素子は、本明細書に説明されている動作を実行するのに用いられるデータ及び／又はプログラム命令を記憶してもよい。本開示の実施形態は、有形の非一時的な記憶媒体であって、プロセッサをプログラムして、本明細書に説明されている及び／又は特許請求の範囲に記載されている方法のうちのいずれか１つ以上を実行し、及び／又は本明細書に説明されている及び／又は特許請求の範囲に記載されている流体分配装置のデータ処理及び／又は制御を行うように操作可能なプログラム命令を含む、有形の非一時的な記憶媒体を提供する。
【０１５６】
本明細書に概説されている動作並びに装置、要素及びシステムは、ロジックゲートのアセンブリなどの固定ロジック、又はソフトウェア及び／又はプロセッサによって実行されるコンピュータプログラム命令などのプログラマブルロジックによって提供され得る制御装置及び／又はプロセッサを用いて実行することができる。他の種類のプログラマブルロジックとしては、プログラマブルプロセッサ、プログラマブルデジタルロジック（例えば、フィールドプログラマブルゲートアレイ（ＦＰＧＡ））、消去可能プログラマブルリードオンリーメモリ（ＥＰＲＯＭ）、電気的消去可能プログラマブルリードオンリーメモリ（ＥＥＰＲＯＭ）、特定用途向け集積回路（ＡＳＩＣ）、若しくは他の種類のデジタルロジック、ソフトウェア、コード、電子命令、フラッシュメモリ、光ディスク、ＣＤ‐ＲＯＭ、ＤＶＤ‐ＲＯＭ、磁気若しくは光カード、電子命令を記憶するのに適した他の種類の機械可読媒体、又はこれらの適切な組合せが挙げられる。
【図１】
2019519709.tif 000003
【図２】
2019519709.tif 000004
【図３】
2019519709.tif 000005
【図４】
2019519709.tif 000006
【図５】
2019519709.tif 000007
【図６】
2019519709.tif 000008
【図７】
2019519709.tif 000009
【図８】
2019519709.tif 000010
【図９】
2019519709.tif 000011
【国際調査報告】
2019519709.tif 000012
2019519709.tif 000013